(57)【要約】      （修正有）【課題】試料の分光反射率の計算において波長間隔の異なる測定データを事前に用意せず誤差の小さい測定値を得ることのできる測定装置と測定方法を提供する。【解決手段】第一の波長間隔で分光反射率を測定し、測定された分光反射率を前記第一の波長間隔よりも小さい第二の波長間隔の分光反射率に変換し、変換された分光反射率に基づいて色彩値を計算し、前記変換は、前記第一の波長間隔で測定された分光反射率のスペクトル帯域特性と前記第二の波長間隔で測定された分光反射率のスペクトル帯域特性とに基づく変換規則と、前記第一の波長間隔で測定された分光反射率のスペクトル帯域特性と前記第二の波長間隔で測定された分光反射率のスペクトル帯域特性とに基づく変換規則とを用いて設定された、前記第一の波長間隔で測定された分光反射率を前記第二の波長間隔で測定された分光反射率に変換するための変換規則により、前記測定された分光反射率を変換する。【選択図】図５
2014222177.tif 000002
【特許請求の範囲】
【請求項１】
第一の波長間隔で分光反射率を測定する測定手段と、
前記測定手段で測定された分光反射率を前記第一の波長間隔よりも小さい第二の波長間隔の分光反射率に変換する変換手段と、
前記変換手段によって変換された分光反射率に基づいて色彩値を計算する計算手段と
を有し、
前記変換手段は、
前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、
前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則と
の２つの変換規則を用いて設定された、前記第一の波長間隔で測定された分光反射率を前記第二の波長間隔で測定された分光反射率に変換するための変換規則により、前記測定手段で測定された分光反射率を変換することを特徴とする測定装置。
【請求項２】
前記測定手段で測定された分光反射率が波長に関して滑らかに変化するか否かを判定する判定手段と、
前記測定手段で測定された分光反射率に基づいて色彩値を計算する第二の計算手段と
を有し、
前記第一の判定手段の判定に基づいて、前記計算手段または前記第二の計算手段が前記色彩値を計算することを特徴とする請求項１に記載の測定装置。
【請求項３】
前記色彩値の計算に使用する照明光源が輝線を持つか否かを判定する第二の判定手段と、
前記測定手段で測定された分光反射率に基づいて色彩値を計算する第二の計算手段と
を有し、
前記第二の判定手段の判定に基づいて、前記計算手段または前記第二の計算手段が前記色彩値を計算することを特徴とする請求項１に記載の測定装置。
【請求項４】
色彩値を前記変換手段で変換された分光反射率に基づいて計算するか、または前記測定手段で測定された分光反射率に基づいて計算するかの選択結果を外部から取得する取得手段と、
前記測定手段で測定された分光反射率に基づいて色彩値を計算する第二の計算手段と
を有し、
前記取得手段で取得した選択結果に基づいて、前記計算手段または前記第二の計算手段が前記色彩値を計算することを特徴とする請求項１に記載の色彩測定装置
【請求項５】
第一の波長間隔で分光反射率を測定する測定手段と、
前記測定手段で測定された分光反射率を前記第一の波長間隔よりも小さい第二の波長間隔の分光反射率に変換する変換手段と、
を有し、
前記変換手段は、
前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、
前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則と
の２つの変換規則を用いて設定された、前記第一の波長間隔で測定された分光反射率を前記第二の波長間隔で測定された分光反射率に変換するための変換規則により、前記測定手段で測定された分光反射率を変換することを特徴とする測定装置。
【請求項６】
分光反射率を入力する入力手段と、
前記入力手段で入力された分光反射率の波長間隔を第一の波長間隔とするとき、当該分光反射率を前記第一の波長間隔よりも小さい第二の波長間隔の分光反射率に変換する変換手段と、
前記変換手段によって変換された分光反射率に基づいて色彩値を計算する計算手段と
を有し、
前記変換手段は、
前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、
前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則と
の２つの変換規則を用いて設定された、前記第一の波長間隔で測定された分光反射率を前記第二の波長間隔で測定された分光反射率に変換するための変換規則により、前記入力手段で入力された分光反射率を変換することを特徴とする測定装置。
【請求項７】
コンピュータを、請求項１乃至請求項６の何れか一項に記載された測定装置の各手段として機能させることを特徴とするプログラム。
【請求項８】
第一の波長間隔で分光反射率を測定する測定工程と、
前記測定工程で測定した分光反射率を前記第一の波長間隔よりも小さい第二の波長間隔で測定した分光反射率に変換する変換工程と、
前記変換工程によって変換された分光反射率に基づいて色彩値を計算する計算工程と
を有し、
前記変換工程は、
前記第一の波長間隔で測定するときのスペクトル帯域特性と前記第二の波長間隔で測定するときのスペクトル帯域特性とに基づき、前記第二の波長間隔で測定した分光反射率を前記第一の波長間隔で測定した分光反射率に変換するための変換規則と、
前記第一の波長間隔で測定された分光反射率のスペクトル帯域特性と前記第二の波長間隔で測定された分光反射率のスペクトル帯域特性とに基づき、前記第二の波長間隔で測定した前記第一の波長間隔の分光反射率を前記第二の波長間隔で測定した前記第二の波長間隔の分光反射率に変換するための変換規則と
の２つの変換規則を用いて設定された、前記第一の波長間隔で測定された分光反射率を前記第二の波長間隔で測定された分光反射率に変換するための変換規則により、前記第一の波長間隔で測定した分光反射率を変換することを特徴とする測定方法。
【請求項９】
第一の波長間隔で分光反射率を測定する測定工程と、
前記測定工程で測定した分光反射率を前記第一の波長間隔よりも小さい第二の波長間隔の分光反射率に変換する変換工程と、
を有し、
前記変換工程は、
前記第一の波長間隔で測定するときのスペクトル帯域特性と前記第二の波長間隔で測定するときのスペクトル帯域特性とに基づき、前記第二の波長間隔で測定した分光反射率を前記第一の波長間隔で測定した分光反射率に変換するための変換規則と、
前記第一の波長間隔で測定された分光反射率のスペクトル帯域特性と前記第二の波長間隔で測定された分光反射率のスペクトル帯域特性とに基づき、前記第二の波長間隔で測定した前記第一の波長間隔の分光反射率を前記第二の波長間隔で測定した前記第二の波長間隔の分光反射率に変換するための変換規則と
の２つの変換規則を用いて設定された、前記第一の波長間隔で測定された分光反射率を前記第二の波長間隔で測定された分光反射率に変換するための変換規則により、前記第一の波長間隔で測定した分光反射率を変換することを特徴とする測定方法。
【請求項１０】
分光反射率を入力する入力工程と、
前記入力工程で入力された分光反射率の波長間隔を第一の波長間隔とするとき、当該分光反射率を前記第一の波長間隔よりも小さい第二の波長間隔の分光反射率に変換する変換工程と、
前記変換工程によって変換された分光反射率に基づいて色彩値を計算する計算工程と
を有し、
前記変換工程は、
前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、
前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則と
の２つの変換規則を用いて設定された、前記第一の波長間隔で測定された分光反射率を前記第二の波長間隔で測定された分光反射率に変換するための変換規則により、前記入力工程で入力された分光反射率を変換することを特徴とする測定方法。
【発明の詳細な説明】
【技術分野】
【０００１】
本発明は、測定試料の分光反射率の測定処理に関する。
【背景技術】
【０００２】
印刷装置のカラープロファイルに格納されるＣＩＥＸＹＺやＣＩＥＬＡＢなどの色彩値は、測定された印刷物の分光反射率から、標準化された光源と視覚の分光特性とに基づいて計算によって求められる。計算に利用される光源と視覚の分光特性は、ＣＩＥ技術報告書１５．３において波長間隔５ｎｍで定められており、計算に利用する印刷物の分光反射率は、これに合わせて波長間隔５ｎｍ、有効波長幅（半値幅）５ｎｍで測定することが望ましいとされる。
【０００３】
しかし、物体色を測定する色彩測定装置は、波長間隔１０ｎｍ、有効波長幅１０ｎｍで分光反射率を測定するものが広く使用されており、さらに波長間隔２０ｎｍ、有効波長幅２０ｎｍで測定するものもある。これは、波長間隔が大きく有効波長幅が大きい方が、光センサの受光量が大きく、Ｓ／Ｎが有利なためである。
【０００４】
測定波長間隔が５ｎｍよりも大きい分光反射率から色彩値を計算する方法としては、定められた光源と視覚の分光特性を、測定された分光反射率に合わせて間引いて利用する方法がある。しかし、この方法によれば、輝線を有する蛍光ランプなどの光源の色彩値を計算する場合、輝線のピーク波長が間引かれてしまい波長間隔５ｎｍで測定された分光反射率を利用して計算した結果と大きな誤差が生じてしまう。
【０００５】
そこで、非特許文献１によれば、測定された分光反射率から波長間隔５ｎｍの分光反射率を補間によって求め、これを用いて波長間隔５ｎｍで色彩値を計算する。
【０００６】
また、特許文献１によれば、測定される少数ｎ個の分光データと、ｎ＜ｍとなるｍ個の分光データとの対応関係を調べて変換規則を作ることで、ｎ個の分光データからｍ個の分光データが予測できる。この方法によって、波長間隔１０ｎｍで測定された分光反射率から波長間隔５ｎｍで測定された分光反射率を予測して色彩値を計算することができる。
【先行技術文献】
【非特許文献】
【０００７】
【非特許文献１】「三刺激値計算のための重価係数の求め方」、照明学会誌、１９９３年、第７７巻、第６号、ｐ３６４
【特許文献】
【０００８】
【特許文献１】特許第３８２６１７４号公報
【発明の概要】
【発明が解決しようとする課題】
【０００９】
非特許文献１の方法によれば、測定データの存在する波長（例えば、５６０ｎｍ）では、波長間隔１０ｎｍまたは波長間隔２０ｎｍで測定した分光反射率と、波長間隔５ｎｍで測定した分光反射率は等しいとしている。しかしながら、両者は、重心波長が等しいのであって、有効波長幅は異なるため、一致しない。図１１は、１０ｎｍ間隔で測定された分光反射率と５ｎｍ間隔で測定された分光反射率のスペクトル帯域特性を示す模式図である。波長間隔１０ｎｍで測定された分光反射率の有効波長幅（半値幅）は１０ｎｍであり、例えば５６０ｎｍの分光反射率の値は、５５０ｎｍから５７０ｎｍの分光反射率を実線で示す比率で荷重平均した値である。一方、波長間隔５ｎｍで測定された分光反射率の有効波長幅は５ｎｍであり、５６０ｎｍの分光反射率の値は、５５５ｎｍから５６５ｎｍの分光反射率を破線で示す比率で荷重平均した値である。両者は、重心波長は等しいが、値は一致しない。その結果、計算される色彩値は、波長間隔５ｎｍで測定した分光反射率を利用して計算した結果と誤差が生じる。
【００１０】
また、特許文献１の方法は、変換規則を作るために波長間隔１０ｎｍで測定した分光反射率と、波長間隔５ｎｍで測定した分光反射率との対応関係を調べる必要がある。精度よく予測するには対応関係を調べるための大量のデータが必要であり、かつ、用意するデータによって結果が変わる問題もある。
【００１１】
以上を鑑み、本発明は、試料の分光反射率の計算において、波長間隔の異なる測定データを事前に用意する必要がなく、誤差の小さい測定値を得ることを目的とする。
【課題を解決するための手段】
【００１２】
本発明に係る測定装置は、第一の波長間隔で分光反射率を測定する測定手段と、前記測定手段で測定された分光反射率を前記第一の波長間隔よりも小さい第二の波長間隔の分光反射率に変換する変換手段と、前記変換手段によって変換された分光反射率に基づいて色彩値を計算する計算手段とを有し、前記変換手段は、前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則との２つの変換規則を用いて設定された、前記第一の波長間隔で測定された分光反射率を前記第二の波長間隔で測定された分光反射率に変換するための変換規則により、前記測定手段で測定された分光反射率を変換する。
【００１３】
また、本発明に係る測定装置は、第一の波長間隔で分光反射率を測定する測定手段と、前記測定手段で測定された分光反射率を前記第一の波長間隔よりも小さい第二の波長間隔の分光反射率に変換する変換手段とを有し、前記変換手段は、前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則との２つの変換規則を用いて設定された、前記第一の波長間隔で測定された分光反射率を前記第二の波長間隔で測定された分光反射率に変換するための変換規則により、前記測定手段で測定された分光反射率を変換する。
【００１４】
また、本発明に係る測定装置は、分光反射率を入力する入力手段と、前記入力手段で入力された分光反射率の波長間隔を第一の波長間隔とするとき、当該分光反射率を前記第一の波長間隔よりも小さい第二の波長間隔の分光反射率に変換する変換手段と、前記変換手段によって変換された分光反射率に基づいて色彩値を計算する計算手段とを有し、前記変換手段は、前記第一の波長間隔で測定された分光反射率のスペクトル帯域特性と前記第二の波長間隔で測定された分光反射率のスペクトル帯域特性とに基づき、前記第二の波長間隔で測定された分光反射率を前記第一の波長間隔で測定された分光反射率に変換するための変換規則と、前記第一の波長間隔で測定された分光反射率のスペクトル帯域特性と前記第二の波長間隔で測定された分光反射率のスペクトル帯域特性とに基づき、前記第二の波長間隔で測定された前記第一の波長間隔の分光反射率を前記第二の波長間隔で測定された前記第二の波長間隔の分光反射率に変換するための変換規則との２つの変換規則を用いて設定された、前記第一の波長間隔で測定された分光反射率を前記第二の波長間隔で測定された分光反射率に変換するための変換規則により、前記入力手段で入力された分光反射率を変換する。
【発明の効果】
【００１５】
本発明によれば、試料の分光反射率の計算において、波長間隔の異なる測定データを事前に用意する必要がなく、誤差の小さい測定値を得ることが可能となる。
【図面の簡単な説明】
【００１６】
【図１】実施例１のハードウエアの構成例を示すブロック図である。
【図２】実施例１の測定部の構成例を示す模式図である。
【図３】実施例１の色彩値の計算手順を示すフローチャートである。
【図４】分光反射率の変換規則の設定手順を示すフローチャートである。
【図５】実施例１の色彩測定装置の機能構成を示すブロック図である。
【図６】実施例２の色彩値の計算手順を示すフローチャートである。
【図７】実施例２の色彩測定装置の機能構成を示すブロック図である。
【図８】実施例３の色彩値の計算手順を示すフローチャートである。
【図９】実施例３の照明光源情報取得ＵＩの一例を示す模式図である。
【図１０】実施例３の色彩測定装置の機能構成を示すブロック図である。
【図１１】波長間隔１０ｎｍ測定と５ｎｍ測定のスペクトル帯域特性を示す図である。
【図１２】式（３）を説明するスペクトル帯域特性の模式図である。
【図１３】実施例４の色彩値の計算手順を示すフローチャートである。
【図１４】実施例４の色彩値計算方法取得ＵＩの一例を示す模式図である。
【図１５】実施例４の色彩測定装置の機能構成を示すブロック図である。
【図１６】実施例５の色彩測定装置の機能構成を示すブロック図である。
【図１７】実施例６の色彩値の計算手順を示すフローチャートである。
【図１８】実施例６の色彩測定装置の機能構成を示すブロック図である。
【発明を実施するための形態】
【００１７】
以下、図面を参照して本発明を詳細に説明する。
【００１８】
［実施例１］
＜ハードウエア構成＞
図１は、本実施例の色彩測定装置のハードウエア構成を示すブロック図である。色彩測定装置１００は、測定部１１０と計算部１２０とを有し、計算部１２０は、ＣＰＵ１２１、メモリ１２２、入力部１２３、出力部１２４を有する。ＣＰＵ１２１は、メモリ１２２に格納されたプログラムに従い種々の処理を実行するものであり、特に、本実施例に関する色彩値計算を実行する。メモリ１２２は、色彩値計算のプログラムや、計算に必要な照明光源や等色関数等のデータを記憶しておくと共に、中間計算結果を保管する作業領域として利用される。入力部１２３は、校正や測定の指示を外部から受けとる他、色彩値計算の計算条件を外部から入力する。出力部１２４は、測定結果として色彩値計算結果や分光反射率を外部に出力する。
【００１９】
図２は、測定部１１０の構成例を示す模式図である。測定部１１０は、光源１１１、照明コリメータレンズ１１２、集光レンズ１１３、スリット１１４、分光器コリメータレンズ１１５、回折格子１１６、結像レンズ１１７、光検出器１１８、Ａ／Ｄ変換器１１９を有する。光源１１１は、被測定試料２００を４５度の方向から照明する。被測定試料２００の法線方向（０度の方向）に反射した光は、集光レンズ１１３で集光され、スリット１１４と分光器コリメータレンズ１１５とによって平行光となって回折格子１１６に入射する。回折格子１１６からの１次回折光は、結像レンズ１１７によって光検出器１１８に結像される。本実施例では、光源１１１はハロゲン電球、光検出器１１８は複数の受光器を直線上に配置したフォトダイオードアレイである。高波長側の受光器の前には２次回折光をカットする光学フィルタ（不図示）が装着されてもよい。光検出器１１８は、各受光器が重心波長１０ｎｍ間隔の光を受光するよう配置され、スリット１１４のスリット幅は、各受光器の有効波長幅が１０ｎｍになるように決定される。受光器は少なくとも４１個で３８０ｎｍから７８０ｎｍの可視波長範囲を波長間隔１０ｎｍで測定する。光検出器１１８の出力電圧は、Ａ／Ｄ変換器１１９によってデジタル信号に変換され、不図示の計算部１２０に出力される。
【００２０】
＜色彩値の計算方法＞
図３は、本実施例の色彩測定装置の色彩値の計算手順を示すフローチャートである。
【００２１】
ステップ３０１において、分光反射率Ｒｒ（λ）が既知の基準試料に関して、光検出器１１８の各受光器の出力電圧に対応した信号値Ｅｒ（λ）を取得する。ここで、λは３８０ｎｍから７８０ｎｍの１０ｎｍ間隔の値であり、Ｅｒ（λ）は、各試料の重心波長λに対応する受光器の出力電圧に対応した信号値である。ここで、Ｅｒ（λ）を取得するステップＳ３０１の処理を校正と称する。基準試料は、可視波長の全域で反射率の大きい白色板を利用する。
【００２２】
ステップＳ３０２において、被測定試料に関して、ステップＳ３０１と同様に光検出器１１８の各受光器の出力電圧に対応した信号値Ｅｓ（λ）を取得する。
【００２３】
ステップＳ３０３において、ステップＳ３０１、Ｓ３０２で取得した信号値から被測定試料の分光反射率Ｒｓ（λ）を次の式（１）により計算する。
Ｒｓ（λ）＝Ｅｓ（λ）  ×  Ｒｒ（λ）  ／  Ｅｒ（λ）  ・・・（１）
受光器が受光する光は有効波長幅１０ｎｍであるので、計算される分光反射率Ｒｓ（λ）は、波長間隔１０ｎｍ、有効波長幅１０ｎｍである。色彩測定装置は、外部からの指示に基づいて、この分光反射率を出力するように構成してもよい。以下の説明では、式（１）により計算された分光反射率を、測定された分光反射率と称す。
【００２４】
ステップＳ３０４において、以降で説明する式（５）の変換規則を用いて、波長間隔１０ｎｍ、有効波長幅１０ｎｍの分光反射率を、波長間隔５ｎｍ、有効波長幅５ｎｍの分光反射率に変換する。
【００２５】
図４は、ステップＳ３０４の変換で利用する変換規則の設定手順を示すフローチャートである。ステップＳ４０１において、波長間隔５ｎｍ、有効波長幅５ｎｍの分光反射率の１０ｎｍ間隔の値を、同５ｎｍ間隔の値に変換するための変換規則を設定する。例えば、ラグランジェ補間である次の式（２）を設定する。
【００２６】
【数１】
2014222177.tif 000003
【００２７】
ここで、Ｒ５は波長間隔５ｎｍで測定された有効波長幅５ｎｍの分光反射率を示し、３８０、３９０等の数値は重心波長を示す。式（２）の変換行列をＭ１とする。一般に分光反射率は波長に関して滑らかに変化するため、１０ｎｍ間隔の値から５ｎｍ間隔の値は補間計算によって精度良く予測できる。そのため、上述した非特許文献１では、この工程で設定される補間式によって、波長間隔１０ｎｍ、有効波長幅１０ｎｍで測定された分光反射率を、波長間隔５ｎｍ、有効波長幅５ｎｍで測定された分光反射率に変換している。ところが、たとえ重心波長が同じであっても、有効波長幅の異なるデータ同士は一致しないため、補間計算では、有効波長幅の異なるデータを精度よく予測することはできない。そこで本実施例では、同一の有効波長幅の測定データに対して補間計算を適用する。
【００２８】
ステップＳ４０２において、波長間隔５ｎｍ、有効波長幅５ｎｍの分光反射率を、波長間隔１０ｎｍ、有効波長幅１０ｎｍの分光反射率に変換するための変換規則を設定する。有効波長幅の小さいデータを合成して有効波長幅の大きいデータを生成する方法は、特許第２７６２７７５号で開示されている。この方法によれば、波長間隔５ｎｍで測定された分光反射率のスペクトル帯域特性と、波長間隔１０ｎｍで測定された分光反射率のスペクトル帯域特性とから、次の式（３）が設定される。
【００２９】
【数２】
2014222177.tif 000004
【００３０】
ここで、Ｒ１０は波長間隔１０ｎｍで測定された有効波長幅１０ｎｍ分光反射率を示し、その後の３８０、３９０等の数値は重心波長を示す。式（３）の変換行列をＭ２とする。図１２は、式（３）を説明するスペクトル帯域特性の模式図である。数値は波長を示し、実線は、波長間隔１０ｎｍで測定された有効波長幅１０ｎｍの分光反射率のスペクトル帯域特性を示す。点線は、波長間隔５ｎｍで測定された有効波長幅５ｎｍの分光反射率のスペクトル帯域特性に波長に応じた重み付けを行ったものである。すなわち、式（３）は、実線と一致するように点線を合成することを示す。例えば、波長間隔１０ｎｍで測定された重心波長５６０ｎｍの分光反射率のスペクトル帯域特性は、５６０ｎｍに頂点を持つ実線の三角形で表される。この三角形は、５５５、５６０、５６５にそれぞれ頂点を持つ点線の三角形を合成することで得られる。これら３つの三角形は、それぞれ、波長間隔５ｎｍで測定された重心波長５５５ｎｍ、５６０ｎｍ、５６５ｎｍの分光反射率のスペクトル帯域特性に変換行列Ｍ２の重み付けを行ったものである。
【００３１】
ステップＳ４０３において、上記ステップＳ４０１とＳ４０２で設定した変換規則に基づき、波長間隔１０ｎｍ、有効波長幅１０ｎｍの分光反射率を、波長間隔５ｎｍ、有効波長幅５ｎｍの分光反射率の１０ｎｍ間隔の値に変換するための変換規則を設定する。具体的には、上記式（２）と式（３）を合成して逆変換した次の式（４）を設定する。
【００３２】
【数３】
2014222177.tif 000005
【００３３】
従来、有効波長幅の大きいデータから有効波長幅の小さいデータを予測するには、上述した特許文献１にあるように、事前に対応するデータを調べて相互変換規則を作成していた。この場合、精度良く予測するには大量のデータが必要であり、また、用意するデータによって結果が変わる問題があった。本実施例によれば、上記のようなデータを事前に用意する必要がなく、有効波長幅の大きいデータを有効波長幅の小さいデータに変換できる。
【００３４】
ステップＳ４０４において、ステップＳ４０１とＳ４０３で設定した変換規則に基づき、以下の変換規則を設定する。すなわち、ステップＳ３０３で算出した波長間隔１０ｎｍ、有効波長幅１０ｎｍの分光反射率を、波長間隔５ｎｍ、有効波長幅５ｎｍの分光反射率の５ｎｍ間隔の値に変換するための変換規則である。具体的には、上記式（４）と式（２）から次の式（５）を設定する。
【００３５】
【数４】
2014222177.tif 000006
【００３６】
式（５）の変換規則によれば、反射率が波長に関して滑らかに変化して式（２）が成立し、かつ、測定された分光反射率の有効波長幅が１０ｎｍで式（３）が成立すれば、波長間隔５ｎｍ、有効波長幅５ｎｍの分光反射率を誤差なしで求めることができる。
【００３７】
なお、式（５）は予め生成し、メモリ１２２に保持しておいてもよい。その場合、図４のフローチャートに示す処理手順は省略可能である。
【００３８】
図３の説明に戻る。ステップＳ３０５では、ステップＳ３０４で変換された分光反射率に基づいて色彩値を計算する。ここで色彩値とは、ＣＩＥＸＹＺやＣＩＥＬＡＢ、ＣＩＥＬＵＶ等の値である。ＣＩＥＸＹＺの値は、ステップＳ３０４で変換された分光反射率と、光源および視覚の分光特性とから、標準規格に定義された次の式（６）によって計算される。
【００３９】
【数５】
2014222177.tif 000007
【００４０】
ここで、Ｓ（λ）は照明光源の分光分布、ｘ（λ）、ｙ（λ）、ｚ（λ）（式６では記号の上にバーを付けて表示）は測色標準観測者の等色関数、Ｒ（λ）は上記ステップＳ３０２で求めた分光反射率である。また、本実施例においてλは５ｎｍ間隔の波長を表す数値であり、総和はλが５間隔の値について計算される。主な照明光源の分光分布や標準観測者の等色関数は、波長間隔５ｎｍのデータがＣＩＥ技術報告書１５．３で開示されている。ＣＩＥＬＡＢ、ＣＩＥＬＵＶ等の値は、上記式（６）で計算されるＣＩＥＸＹＺから、標準規格に定められるそれぞれの定義式によって計算される。
【００４１】
＜機能構成＞
図５は、本実施例の色彩測定装置の機能構成を示すブロック図である。色彩測定装置１００は、測定部１１０、制御部５０１、データ格納部５０２、入出力部５０３、分光反射率計算部５０４、変換規則格納部５０５、分光反射率変換部５０６、色彩値計算部５０７を有する。
【００４２】
測定部１１０は、制御部５０１の指示に基づいて試料からの反射光を測定し、波長間隔１０ｎｍ、有効波長幅１０ｎｍに対応したデジタル信号をデータ格納部５０２に格納する。
【００４３】
制御部５０１は、入出力部５０３を介して外部から測定や校正の指示を受け取り、各部を制御して色彩値を計算する。また、入出力部５０３を介して、測定された分光反射率や計算した色彩値を外部へ出力する。
【００４４】
データ格納部５０２は、色彩計算に必要な照明光源や等色関数等のデータを格納すると共に、測定された分光反射率や、波長間隔５ｎｍに変換された分光反射率など、中間結果を格納する作業領域として利用される。
【００４５】
入出力部５０３は、測定指示や色彩値の計算条件などを外部から受け取ると共に、制御部５０１の指示に基づいて測定された分光反射率や色彩値の計算結果を外部に出力する。
【００４６】
分光反射率計算部５０４は、制御部５０１の指示に基づいて、データ格納部５０２に格納されたデジタル信号から上記式（３）により分光反射率を計算し、データ格納部５０２に格納する。以下、分光反射率計算部５０４で計算された分光反射率を分光反射率Ａと言う。
【００４７】
変換規則格納部５０５は、波長間隔１０ｎｍで測定された分光反射率を波長間隔５ｎｍで測定された分光反射率に変換する変換規則を格納する。上述したように、この変換規則は、各測定波長間隔のスペクトル帯域特性に基づいて波長間隔５ｎｍで測定された分光反射率を波長間隔１０ｎｍで測定された分光反射率に変換する変換規則に基づいて設定する。また、波長間隔５ｎｍで測定された１０ｎｍ間隔の分光反射率を同５ｎｍ間隔の分光反射率に変換する変換規則に基づいて設定する。
【００４８】
分光反射率変換部５０６は、制御部５０１の指示に基づいて、データ格納部５０２に格納された分光反射率Ａを変換規則格納部５０５に格納された変換規則により変換し、変換後の分光反射率をデータ格納部５０２に格納する。以下、分光反射率変換部５０６で変換された分光反射率を分光反射率Ｂと言う。
【００４９】
色彩値計算部５０７は、制御部５０１の指示に基づいて、データ格納部５０２に格納された分光反射率Ｂと、照明光源および等色関数とにより、上記式（６）によりＣＩＥＸＹＺを計算し、データ格納部５０２に格納する。また、制御部５０１の指示に基づいて、データ格納部５０２に格納されたＣＩＥＸＹＺの値から、その他の各種色彩値を計算し、データ格納部５０２に格納する。
【００５０】
以上説明したように、本実施例の色彩測定装置によれば、測定波長間隔に応じたスペクトル帯域特性に基づいて、測定された分光反射率を波長間隔５ｎｍ、有効波長幅５ｎｍの分光反射率に変換して色彩値を計算する。その結果、測定された分光反射率の波長間隔が５ｎｍより大きい場合であっても、波長間隔の異なる測定データを事前に用意することなく、誤差の小さい色彩値の計算が可能である。
【００５１】
［実施例２］
上記式（２）は、被測定試料の分光反射率が波長に関して滑らかに変化していることを前提としており、分光反射率が波長に関して急激に変化する場合は、計算される色彩値に大きな誤差が生じる場合がある。実施例２では、測定された分光反射率に基づいて色彩値の計算方法を切り替える色彩測定装置について説明する。尚、実施例１と同じ構成には同じ番号を付与して説明を省略する。
【００５２】
＜色彩値の計算方法＞
図６は、本実施例の色彩値の計算手順を示すフローチャートである。ステップＳ６０１において、ステップＳ３０３で計算した分光反射率の分光波形が滑らかか否かを判定する。例えば、連続する４つの波長の反射率変化が、増加、減少、増加、または、減少、増加、減少となる分光反射率は、分光波形が滑らかではないと判定する。逆に、連続する４つの波長のいずれにおいても反射率変化が上記と一致しない分光反射率は、分光波形が滑らかであると判定する。分光波形が滑らかであると判定された場合は、ステップＳ３０４、Ｓ３０５と進み、上述した実施例１の方法で波長間隔５ｎｍ、有効波長幅５ｎｍの分光反射率に変換して色彩値を計算する。一方、分光波形が滑らかでないと判定された場合は、ステップＳ６０２に進む。
【００５３】
ステップＳ６０２では、ステップＳ３０４で計算した分光反射率と、１０ｎｍ間隔に間引いた照明の分光分布および標準観測者の等色関数とからＣＩＥＸＹＺの値が計算される。ＣＩＥＸＹＺの値は上記式（６）で計算されるが、ステップＳ３０５における計算と異なってλは１０ｎｍ間隔の波長を表す数値であり、総和はλが１０間隔の値について計算される。
【００５４】
＜機能構成＞
図７は、本実施例の色彩測定装置の機能構成を示すブロック図である。色彩測定装置１００は、実施例１の構成に加えて、分光反射率平滑性判定部７０１と第二色彩値計算部７０２を有する。また、本実施例の制御部５０１は、各部を制御し、分光反射率が波長に関して滑らかに変化するか否かの判定結果に基づいて色彩値を計算する。
【００５５】
分光反射率平滑性判定部７０１は、制御部５０１の指示に基づき、データ格納部５０２に格納された分光反射率Ａが波長に関して滑らかに変化するか否かを判定する。分光反射率Ａが波長に関して滑らかに変化すると判定された場合、制御部５０１は、分光反射率変換部５０６に分光反射率の変換を指示し、その後、色彩値計算部５０７に分光反射率Ｂに基づく色彩値の計算を指示する。
【００５６】
他の場合、制御部５０１は、第二色彩値計算部７０２に分光反射率Ａに基づく色彩値の計算を指示する。この場合、制御部５０１は、分光反射率変換部５０６に分光反射率の変換を指示しない。第二色彩値計算部５０７は、制御部５０１の指示に基づいて、データ格納部５０２に格納された分光反射率Ａと、１０ｎｍ間隔に間引いた照明の分光分布および標準観測者の等色関数とからＣＩＥＸＹＺを計算し、データ格納部５０２に格納する。また、制御部５０１の指示に基づいて、ＣＩＥＸＹＺの値から、その他の各種色彩値を計算し、データ格納部５０２に格納する。
【００５７】
以上説明したように、本実施例の色彩測定装置によれば、測定された分光反射率が波長に関して滑らかに変化するか否かを判定し、この判定結果に基づいて色彩値の計算方法が切り替えられる。その結果、波長間隔５ｎｍの分光反射率への変換で大きな誤差が生じることを抑制しつつ、当該変換の効果が期待できる場合は変換を行って誤差を小さくできる。
【００５８】
［実施例３］
波長間隔１０ｎｍで計算した色彩値と波長間隔５ｎｍで計算したときの色彩値の差は、波長に関してパワーが急激に変化する輝線を有する照明光源において顕著である。例えば、三波長域発光形の蛍光ランプであるＦＬ１０の色彩値において、大きな誤差が発生する。
【００５９】
一方、波長に関して急激なパワー変化のない照明光源では、両者の差はわずかである。例えば、ハロゲンランプであるＡ光源の色彩値は、ほとんど誤差が発生しない。ほとんど誤差の発生しない照明光源では、波長間隔５ｎｍの分光反射率への変換を中止することで、計算の負荷を抑制できる。
【００６０】
実施例３では、色彩値の計算条件である照明光源の種類に基づいて色彩値の計算方法を切り替える色彩測定装置について説明する。尚、実施例１または実施例２と同じ構成には同じ番号を付与して説明を省略する。
【００６１】
＜色彩値の計算方法＞
図８は、本実施例の色彩値の計算手順を示すフローチャートである。ステップＳ８０１では、色彩値の計算条件である照明光源の情報を取得する。
【００６２】
図９は、照明光源の情報を取得するＵＩの一例を示す模式図である。本ＵＩは、ラジオボタン９０１乃至９１６と、テキストボックス９１７、参照ボタン９１８、ＯＫボタン９１９、キャンセルボタン９２０、マウスポインタ９２１を有する。
【００６３】
マウスポインタ９２１はマウスの動きに応じて移動する。各種ボタンやテキストボックスは、マウスポインタ９２１をその上に重ねてマウスをクリックすることで選択される。色彩計算に使用する照明光源は、ラジオボタン９０１乃至９１６を選択することで仮設定される。
【００６４】
例えば、ラジオボタン９０１が選択されるとＡ光源が仮設定され、ラジオボタン９１６が選択されるとユーザ光源が仮設定される。ユーザ光源には、標準規格に無い照明光源が指定可能であり、ユーザ光源が設定されると分光特性情報がファイルから読み込まれる。
【００６５】
ユーザ光源の分光特性情報が記述されたファイルは、テキストボックス９１７にファイル名を入力するか、参照ボタン９１８を選択すると表示されるファイル一覧から選択する。ファイルをファイル一覧から選択した場合、選択されたファイルのファイル名がテキストボックス９１７に自動で入力される。
【００６６】
ＯＫボタン９１９が選択されると、仮設定された照明光源が設定される。ユーザ光源が仮設定されていた場合、テキストボックス９１７に入力されたファイル名のファイルから分光特性情報が読み込まれる。キャンセルボタン９２０が選択されると仮設定は無効となり、照明光源は未設定となる。
【００６７】
図８の説明に戻る。ステップＳ８０２では、ステップＳ８０１で取得した照明光源が輝線を持つか否かを判定する。例えば、照明光源として蛍光ランプであるＦＬ１乃至ＦＬ１２が設定された場合には、照明光源が輝線を持つと判定する。ユーザ光源が設定された場合には、読み込まれた分光特性情報に基づいて判定する。例えば、隣接する波長のパワーが最大パワーの３０％以上変化する場合は、輝線を持つ照明光源であると判定する。その他の場合は輝線を持たないと判定する。なお、上記では３０％を例に挙げたが、どの程度を輝線とみなすかに応じて任意の値を設定してよい。
【００６８】
照明光源が輝線を持つと判定された場合は、ステップＳ３０４、Ｓ３０５と進み、上述した実施例１の方法で波長間隔５ｎｍ、有効波長幅５ｎｍの分光反射率に変換して色彩値を計算する。
【００６９】
一方、照明光源が輝線を持たないと判定された場合は、ステップＳ６０２に進み、ステップＳ３０３で計算した分光反射率と、１０ｎｍ間隔に間引いた照明光源の分光分布および測色標準観測者の等色関数とから色彩値を計算する。
【００７０】
＜機能構成＞
図１０は、本実施例の色彩測定装置の機能構成を示すブロック図である。色彩測定装置１００は、実施例２の構成に加えて、照明光源情報取得部１００１と輝線判定部１００２を有する。また、分光反射率平滑性判定部７０１は備えない。また、本実施例の制御部５０１は、各部を制御し、照明光源が輝線を持つか否かの判定結果に基づいて色彩値を計算する。
【００７１】
照明光源情報取得部１００１は、制御部５０１の指示に基づき、入出力部５０３を介して色彩値の計算条件である照明光源情報を取得し、データ格納部５０２に格納する。輝線判定部１００２は、制御部５０１の指示に基づき、データ格納部５０２に格納された照明光源情報から照明光源が輝線を持つか否か判定する。
【００７２】
照明光源が輝線を持つと判定された場合、制御部５０１は、分光反射率変換部５０６に分光反射率の変換を指示し、その後、色彩値計算部５０７に分光反射率Ｂに基づく色彩値の計算を指示する。
【００７３】
他の場合、制御部５０１は、第二色彩値計算部５０７に分光反射率Ａに基づく色彩値の計算を指示する。この場合、制御部５０１は、分光反射率変換部５０６に分光反射率の変換を指示しない。
【００７４】
以上説明したように、本実施例の色彩測定装置によれば、照明光源が輝線を持つか否かを判定し、この判定結果に基づいて色彩値の計算方法が切り替えられる。その結果、波長間隔５ｎｍの分光反射率への変換の効果が小さい照明光源では計算負荷を抑制しつつ、当該変換の効果が期待できる場合は変換を行って誤差を小さくできる。
【００７５】
［実施例４］
色彩値の利用目的によっては、測定された波長間隔の大きい分光反射率を波長間隔５ｎｍ、有効波長幅５ｎｍの分光反射率に変換しない方が良い場合もある。例えば、他の色彩測定装置で測定された色彩値と比較する場合であって、当該色彩測定装置が波長間隔１０ｎｍで測定された分光反射率に基づいて色彩値を計算している場合は、波長間隔５ｎｍに変換しないで色彩値を計算する方が好ましい。実施例４では、外部からの指示に基づいて色彩値の計算方法を切り替える色彩測定装置について説明する。尚、実施例１乃至実施例３と同じ構成には同じ番号を付与して説明を省略する。
【００７６】
＜色彩値の計算方法＞
図１３は、本実施例の色彩値の計算手順を示すフローチャートである。ステップＳ１３０１では、色彩値計算方法の選択結果を取得する。すなわち、波長間隔１０ｎｍで測定された分光反射率に基づいて色彩値を計算するか、または、当該反射率から変換された波長間隔５ｎｍ、有効波長幅５ｎｍの分光反射率から色彩値を計算するかを取得する。以下、前者の色彩値計算方法を計算方法Ａ、後者の色彩値計算方法を計算方法Ｂと呼ぶ。
【００７７】
図１４は、色彩値計算方法取得ＵＩの一例を示す模式図である。本ＵＩは、チェックボックス１４０１とＯＫボタン１４０２とマウスポインタ１４０３から成る。マウスポインタ１４０３はマウスの動きに応じて移動する。チェックボックス１４０１とＯＫボタン１４０２は、マウスポインタ１４０３をその上に重ねてマウスをクリックすることで選択される。チェックボックス１４０１の設定を有効にしてＯＫボタン１４０２を選択すると、計算方法Ｂが選択される。チェックボックス１４０１の設定を無効にしてＯＫボタン１４０２を選択すると、計算方法Ａが選択される。
【００７８】
図１３の説明に戻る。ステップＳ１３０２では、ステップＳ１３０１で取得した計算方法が上記選択肢のいずれであるか判定する。取得した計算方法が計算方法Ｂであった場合は、ステップＳ３０４、Ｓ３０５と進んで分光反射率を変換し、変換された分光反射率に基づいて色彩値を計算する。
【００７９】
取得した計算方法が計算方法Ａであった場合は、ステップＳ６０２に進み、ステップＳ３０３で計算した分光反射率と１０ｎｍ間隔に間引いた照明光源の分光分布および測色標準観測者の等色関数とから色彩値を計算する。
【００８０】
＜機能構成＞
図１５は、本実施例の色彩測定装置の機能構成を示すブロック図である。色彩測定装置１００は、実施例２の構成に加えて、計算方法取得部１５０１を有する。また、分光反射率平滑性判定部７０１は備えない。また、本実施例の制御部５０１は、各部を制御し、取得した色彩値計算方法の選択結果に基づいて色彩値を計算する。
【００８１】
計算方法取得部１５０１は、制御部５０１の指示に基づき、入出力部５０３を介して色彩値計算方法の選択結果を取得する。すなわち、色彩値を計算方法Ａで計算するか、計算方法Ｂで計算するかを取得する。
【００８２】
制御部５０１は、取得した色彩値計算方法が計算方法Ｂであった場合、分光反射率変換部５０６に分光反射率の変換を指示し、その後、色彩値計算部５０７に分光反射率Ｂに基づく色彩値の計算を指示する。制御部５０１は、取得した色彩値計算方法が計算方法Ａであった場合、第二色彩値計算部７０２に分光反射率Ａに基づく色彩値の計算を指示する。この場合、制御部５０１は、分光反射率変換部５０６に分光反射率の変換を指示しない。
【００８３】
以上説明したように、本実施例の色彩測定装置によれば、外部から取得した色彩値計算方法の選択結果に基づいて色彩値の計算方法が切り替えられる。その結果、色彩値の利用目的に適した計算方法で色彩値の計算が可能となる。
【００８４】
［実施例５］
本発明は、分光測定装置に適用することも可能である。本実施例では、波長間隔１０ｎｍで測定された分光反射率を波長間隔５ｎｍ、有効波長幅５ｎｍの分光反射率に変換して出力する分光測定装置について説明する。尚、実施例１と同じ構成には同じ番号を付与して説明を省略する。
【００８５】
本実施例のハードウエア構成および測定部の構成は、上述した実施例１と同じである。また、波長間隔５ｎｍ、有効波長幅５ｎｍの分光反射率の値は、図３のステップＳ３０１乃至ステップＳ３０４を順に実施することで計算される。
【００８６】
＜機能構成＞
図１６は、本実施例の分光測定装置の機能構成を示すブロック図である。分光測定装置１６００は、測定部１６１０、制御部１６０１、データ格納部１６０２、入出力部１６０３、分光反射率計算部１６０４、変換規則格納部１６０５、分光反射率変換部１６０６を有する。
【００８７】
測定部１６１０は、制御部１６０１の指示に基づいて試料からの反射光を測定し、波長間隔１０ｎｍ、有効波長幅１０ｎｍに対応したデジタル信号をデータ格納部５０２に格納する。
【００８８】
制御部１６０１は、入出力部１６０３を介して外部から測定や校正の指示を受け取り、各部を制御して分光反射率を計算する。また、入出力部１６０３を介して、計算した分光反射率を外部へ出力する。
【００８９】
データ格納部１６０２は、基準試料の反射光に対応したデジタル信号や、計算された分光反射率などを格納する作業領域として利用される。
【００９０】
入出力部１６０３は、測定指示や校正指示などを外部から受け取ると共に、制御部１６０１の指示に基づいて計算された分光反射率を外部に出力する。
【００９１】
分光反射率計算部１６０４は、制御部１６０１の指示に基づいて、データ格納部１６０２に格納されたデジタル信号から上記式（３）により分光反射率を計算し、データ格納部１６０２に格納する。この分光反射率は、上述した分光反射率Ａである。
【００９２】
変換規則格納部１６０５は、波長間隔１０ｎｍで測定された分光反射率を波長間隔５ｎｍで測定された分光反射率に変換する変換規則を格納する。上述したように、この変換規則は、各測定波長間隔のスペクトル帯域特性に基づいて波長間隔５ｎｍで測定された分光反射率を波長間隔１０ｎｍで測定された分光反射率に変換する変換規則に基づいて設定される。また、波長間隔５ｎｍで測定された１０ｎｍ間隔の分光反射率を同５ｎｍ間隔の分光反射率に変換する変換規則に基づいて設定される。
【００９３】
分光反射率変換部１６０６は、制御部１６０１の指示に基づいて、データ格納部１６０２に格納された分光反射率Ａを変換規則格納部１６０５に格納された変換規則により変換し、変換後の分光反射率をデータ格納部１６０２に格納する。
【００９４】
以上説明したように、本実施例の分光測定装置によれば、測定波長間隔に応じたスペクトル帯域特性に基づいて、波長間隔の１０ｎｍ、有効波長幅１０ｎｍの分光反射率を波長間隔５ｎｍ、有効波長幅５ｎｍの分光反射率に変換して出力する。その結果、波長間隔の異なる測定データを事前に用意することなく、簡易な構成で高い波長分解能の測定が可能となる。
【００９５】
［実施例６］
本発明は、外部から分光反射率データを入力して色彩値を計算する色彩計算装置に適用することも可能である。本実施例では、波長間隔が５ｎｍよりも大きい分光反射率データを入力し、波長間隔５ｎｍ、有効波長幅５ｎｍの分光反射率に変換して色彩値を計算する色彩値計算装置について説明する。尚、実施例１と同じ構成には同じ番号を付与して説明を省略する。
【００９６】
本実施例のハードウエア構成は、実施例１の計算部１２０と同じである。尚、本実施例は、測定部１１０を含まない。
【００９７】
＜色彩値の計算手順＞
図１７は、本実施例の色彩値の計算手順を示すフローチャートである。ステップＳ１７０１で分光反射率データを入力する。
【００９８】
ステップＳ１７０２において、入力した分光反射率の波長間隔に応じて変換規則を設定する。入力される分光反射率は、一般には波長間隔１０ｎｍか２０ｎｍである。変換規則は、実施例１と同様に設定される。すなわち、入力した分光反射率データの波長間隔の値から５ｎｍ間隔の値に変換する変換規則をラグランジェ補間に基づいて設定する。
【００９９】
さらに、波長間隔５ｎｍ、有効波長幅５ｎｍの分光反射率から入力した分光反射率データの波長間隔、有効波長幅の分光反射率に変換する変換規則を特許第２７６２７７５号で開示される方法に基づいて設定する。
【０１００】
これらの変換規則に基づき、入力した分光反射率データの波長間隔、有効波長幅の分光反射率を、波長間隔５ｎｍ、有効波長幅５ｎｍの分光反射率に変換する変換規則を設定する。
【０１０１】
この工程は、波長間隔１０ｎｍの分光反射率用の変換規則と、波長間隔２０ｎｍの分光反射率用の変換規則を用意しておき、入力した分光反射率データに基づいて選択する構成であってもよい。
【０１０２】
また、変換規則は、波長間隔に加えて波長範囲に応じて設定する構成であってもよい。
【０１０３】
色彩計算を行うための分光反射率データには、可視波長域である３８０ｎｍから７８０ｎｍのうち、一部の波長しか備えないものもある。例えば、視覚の感度が低い端部の波長を除いた４００ｎｍから７００ｎｍの波長範囲のデータや、２次回折光を含まない３８０ｎｍから７３０ｎｍの波長範囲のデータが利用される。この場合、上記式（２）乃至式（５）は、データを備える波長範囲で設定される。
【０１０４】
また、上記式（５）の代わりに、上記非特許文献１に基づいて補外によって３８０ｎｍから７８０ｎｍの波長範囲のデータを生成する変換規則を設定してもよい。
【０１０５】
ステップＳ１７０３において、ステップＳ１７０２で設定した変換規則に基づき、ステップＳ１７０１で入力した分光反射率データを波長範囲５ｎｍ、有効波長幅５ｎｍの分光反射率データに変換する。
【０１０６】
ステップＳ１７０４において、ステップＳ１７０３で変換された分光反射率に基づいて色彩値を計算する。色彩値は、実施例１と同様に計算される。
【０１０７】
＜機能構成＞
図１８は、本実施例の色彩計算装置の機能構成を示すブロック図である。色彩計算装置１２０は、実施例１の構成に加えて変換規則設定部１８０１を有し、測定部１００は備えない。また、本実施例の入出力部５０３は、制御部５０１の指示に基づき、外部から分光反射率データを入力してデータ格納部５０２に格納する。以下では、入力した分光反射率の波長間隔を波長間隔Ａとする。また、本実施例の制御部５０１は、各部を制御し、入力した分光反射率データに応じて設定された変換規則に基づいて色彩値を計算する。
【０１０８】
変換規則設定部１８０１は、制御部５０１の指示に基づき、データ格納部５０２に格納された入力分光反射率の波長間隔、波長範囲に応じて変換規則を設定し、変換規則格納部５０５に格納する。上述したように、この変換規則は、波長間隔Ａと波長間隔５ｎｍで測定された分光反射率のスペクトル帯域特性に基づき、波長間隔５ｎｍで測定された分光反射率を波長間隔Ａで測定された分光反射率に変換する変換規則に基づいて設定される。また、波長間隔５ｎｍで測定された波長間隔Ａの分光反射率を同５ｎｍ間隔の分光反射率に変換する変換規則に基づいて設定される。
【０１０９】
分光反射率変換部５０６は、制御部５０１の指示に基づいて、データ格納部５０２に格納された入力分光反射率を、変換規則格納部５０５に格納された変換規則により変換し、変換後の分光反射率をデータ格納部５０５に格納する。この分光反射率は、上述した分光反射率Ｂである。
【０１１０】
色彩値計算部５０７は、制御部５０１の指示に基づいて、データ格納部５０２に格納された分光反射率Ｂと、照明光源および等色関数とにより、上記式（６）によりＣＩＥＸＹＺを計算し、データ格納部５０２に格納する。
【０１１１】
以上説明したように、本実施例の色彩計算装置によれば、入力した分光反射率データのスペクトル帯域特性に基づいて、当該入力分光反射率データを波長間隔５ｎｍ、有効波長幅５ｎｍの分光反射率に変換して色彩値を計算する。その結果、波長間隔の異なる測定データを事前に用意することなく、誤差の小さい色彩値の計算が可能である。
【０１１２】
［その他の実施例］
前記実施例では、測定される分光反射率の波長間隔が１０ｎｍの例について説明したが、２０ｎｍでもよいし、その他でもよい。波長範囲も３８０ｎｍから７８０ｎｍに限らない。２次回折光を含まない３８０ｎｍから７３０ｎｍの範囲であってもよいし、視覚の感度が低い端部の波長を除いた４００ｎｍから７００ｎｍであってもよい。また、その他の範囲であってもかまわない。
【０１１３】
上記式（２）の補間方法も、線形補間などの他の方法でもよい。
【０１１４】
測定部の構成も、上記実施例に限らない。光源は、白色ＬＥＤやキセノン光源、その他の光源でもよい。分光手段は、光学フィルタやプリズム、その他の分光手段でもよい。光検出器は、フォトマルやイメージセンサ、その他の光検出器でもよい。
【０１１５】
照射と受光の幾何条件は、複数方向から照明する４５°ｃ：０°や、全方位から照明する４５°ａ：０°、０度から照明する０°：４５°、積分球を利用するｄｉ：８°、ｄｅ：８°、その他の条件でもよい。例えば、標準規格では定められていない正反射光の色付きを評価する測定装置などにも適用できる。
【０１１６】
測定された分光反射率が滑らかか否かの判定方法も上記実施例の方法に限らない。フーリエ変換を行って高周波成分のパワーに応じて判定する構成であってもよいし、他の方法でもよい。
【０１１７】
照明光源が輝線を持つか否かの判定方法も上記実施例の方法に限らない。蛍光ランプの三波長域発光形に限定してもよいし、判定条件をユーザが指定できるようにしてもよいし、他の方法でもよい。
【０１１８】
照明光源の情報を取得するＵＩや色彩計算方法を取得するＵＩも上記実施例の例に限らない。
【０１１９】
また、上記実施例では、発明の形態として色彩測定装置、分光測定装置、色彩値計算装置の例を説明したが、画像記録装置の形態としてもよい。また、専用の情報処理装置やリーダ等と組み合わされた複写装置、送受信機能を有するファクシミリ装置、さらには機器組み込みのコントローラの形態をとるもの等であってもよい。
【０１２０】
また、本発明は、上述した実施例の機能（例えば、上記のフローチャートにより示される工程）を実現するソフトウェアのプログラムコードを記録した記憶媒体を、システム或いは装置に供給することによっても実現できる。この場合、そのシステム或いは装置のコンピュータ（又はＣＰＵやＭＰＵ）が、コンピュータが読み取り可能に記憶媒体に格納されたプログラムコードを読み出し実行することにより、上述した実施例の機能を実現する。また、プログラムは、１つのコンピュータで実行させても、複数のコンピュータを連動させて実行させるようにしてもよい。
【図１】
2014222177.tif 000008
【図２】
2014222177.tif 000009
【図３】
2014222177.tif 000010
【図４】
2014222177.tif 000011
【図５】
2014222177.tif 000012
【図６】
2014222177.tif 000013
【図７】
2014222177.tif 000014
【図８】
2014222177.tif 000015
【図９】
2014222177.tif 000016
【図１０】
2014222177.tif 000017
【図１１】
2014222177.tif 000018
【図１２】
2014222177.tif 000019
【図１３】
2014222177.tif 000020
【図１４】
2014222177.tif 000021
【図１５】
2014222177.tif 000022
【図１６】
2014222177.tif 000023
【図１７】
2014222177.tif 000024
【図１８】
2014222177.tif 000025